(57)【要約】【課題】  第１、第２の各ケースの全てを取り外して交換しなくても、ヒンジカバー部を容易に取り外して交換できる電子機器を提供する。【解決手段】  金属フレーム５に取り付けられて一対のヒンジ部３をそれぞれ覆う一対のヒンジカバー部１８を有する枠状のインナーケース６を備え、このインナーケース６における一対のヒンジカバー部１８の間に位置する一辺部６ａを切断部２０によって分離した。従って、第１ケース１の金属フレーム５を第２ケース２の第２リアケース１１に一対のヒンジ部３によって回動可能に連結した状態で、一対のヒンジカバー部１８の間に位置するインナーケース６の一辺部６ａを切断部２０で押し広げることにより、ヒンジカバー部１８を一対のヒンジ部３から取り外すことができる。【選択図】        図３
2010165824.tif 000002
【特許請求の範囲】
【請求項１】
第１ケースと第２ケースとを一対のヒンジ部によって開閉可能に連結した電子機器において、
前記第１ケースは、前記第２ケースの一辺部における両側に前記一対のヒンジ部によって回動可能に連結されたフレーム部材と、このフレーム部材に位置決め部によって係脱可能に係止されて前記一対のヒンジ部をそれぞれ覆う一対のヒンジカバー部を有する枠状のインナーケースとを備え、
この枠状のインナーケースは、前記一対のヒンジカバー部の間に位置する一辺部が切断部によって分離されていることを特徴とする電子機器。
【請求項２】
前記インナーケースには、前記切断部の両側近傍に位置する前記一辺部の各箇所から、その一辺部と直交する前記インナーケースの両側に位置する各辺部に亘って連続する補強リブがそれぞれ設けられていることを特徴とする請求項１に記載の電子機器。
【請求項３】
前記位置決め部は、前記インナーケースの前記一辺部における前記切断部付近を前記フレーム部材に対し係脱可能に位置決めして固定するための第１位置決め部を備えていることを特徴とする請求項１または請求項２に記載の電子機器。
【請求項４】
前記位置決め部は、前記一対のヒンジカバー部付近に位置する箇所の前記インナーケースを前記フレーム部材に対し係脱可能に位置決めして、前記一対のヒンジカバー部付近における前記インナーケースの外側への広がりを押えるための第２位置決め部を備えていることを特徴とする請求項１〜請求項３のいずれかに記載の電子機器。
【請求項５】
前記位置決め部は、前記一対のヒンジカバー部と反対側に位置する他辺部側の前記インナーケースを前記フレーム部材に対し係脱可能に位置決めして固定するための第３位置決め部を備えていることを特徴とする請求項１〜請求項４のいずれかに記載の電子機器。
【発明の詳細な説明】
【技術分野】
【０００１】
この発明は、電子辞書や電子小型計算機、携帯電話機などの電子機器に関し、更に詳しくは２つのケースを開閉可能に連結した電子機器に関する。
【背景技術】
【０００２】
従来、携帯電話機などの電子機器においては、特許文献１に記載されているように、第１ケースと第２ケースとを一対のヒンジ部で開閉可能に連結し、使用するときに一対のヒンジ部を中心に第１ケースと第２ケースとを回動させて開き、また使用しないときには一対のヒンジ部を中心に第１ケースと第２ケースとを回動させて重ね合わせることにより、コンパクトに携帯できるように構成されたものが知られている。この場合、一対のヒンジ部は、第１ケースと第２ケースとにそれぞれ一体に形成されたヒンジカバー部によって覆われている。
【先行技術文献】
【特許文献】
【０００３】
【特許文献１】特開２００４−９５９４７号公報
【発明の概要】
【発明が解決しようとする課題】
【０００４】
しかしながら、このような従来の電子機器では、一対のヒンジ部をそれぞれ覆うヒンジカバー部が第１ケースと第２ケースとに一体に形成されているため、落下などの衝撃によってヒンジカバー部が割れた場合、あるいはデザイン性を高めるためにヒンジカバー部を第１、第２の各ケースと異なる色にしたい場合、第１、第２の各ケースの全てを交換しなければ、ヒンジカバー部を取り換えることができないという問題があった。
【０００５】
この発明が解決しようとする課題は、第１、第２の各ケースの全てを取り外して交換しなくても、ヒンジカバー部を容易に取り外して交換することができる電子機器を提供することである。
【課題を解決するための手段】
【０００６】
この発明は、上記課題を解決するために、次のような構成要素を備えている。
請求項１に記載の発明は、第１ケースと第２ケースとを一対のヒンジ部によって開閉可能に連結した電子機器において、前記第１ケースは、前記第２ケースの一辺部における両側に前記一対のヒンジ部によって回動可能に連結されたフレーム部材と、このフレーム部材に位置決め部によって係脱可能に係止されて前記一対のヒンジ部をそれぞれ覆う一対のヒンジカバー部を有する枠状のインナーケースとを備え、この枠状のインナーケースは、前記一対のヒンジカバー部の間に位置する一辺部が切断部によって分離されていることを特徴とする電子機器である。
【０００７】
請求項２に記載の発明は、前記インナーケースに、前記切断部の両側近傍に位置する前記一辺部の各箇所から、その一辺部と直交する前記インナーケースの両側に位置する各辺部に亘って連続する補強リブがそれぞれ設けられていることを特徴とする請求項１に記載の電子機器である。
【０００８】
請求項３に記載の発明は、前記位置決め部が、前記インナーケースの前記一辺部における前記切断部付近を前記フレーム部材に対し係脱可能に位置決めして固定するための第１位置決め部を備えていることを特徴とする請求項１または請求項２に記載の電子機器である。
【０００９】
請求項４に記載の発明は、前記位置決め部が、前記一対のヒンジカバー部付近に位置する箇所の前記インナーケースを前記フレーム部材に対し係脱可能に位置決めして、前記一対のヒンジカバー部付近における前記インナーケースの外側への広がりを押えるための第２位置決め部を備えていることを特徴とする請求項１〜請求項３のいずれかに記載の電子機器である。
【００１０】
請求項５に記載の発明は、前記位置決め部が、前記一対のヒンジカバー部と反対側に位置する他辺部側の前記インナーケースを前記フレーム部材に対し係脱可能に位置決めして固定するための第３位置決め部を備えていることを特徴とする請求項１〜請求項４のいずれかに記載の電子機器である。
【発明の効果】
【００１１】
この発明によれば、一対のヒンジ部をそれぞれ覆う一対のヒンジカバー部を有する枠状のインナーケースを取り外す際に、第２ケースに第１ケースのフレーム部材を一対のヒンジ部で回動可能に連結した状態で、フレーム部材に対するインナーケースの位置決め部による係止を解除して、一対のヒンジカバー部の間に位置するインナーケースの一辺部を切断部で押し広げることにより、ヒンジカバー部を一対のヒンジ部から取り外すことができる。このため、第１、第２の各ケースの全てを取り外して交換しなくても、ヒンジカバー部を容易に取り外して交換することができる。
【図面の簡単な説明】
【００１２】
【図１】この発明を適用した電子辞書の実施形態１を示した正面図である。
【図２】図１の電子辞書を分解して示した斜視図である。
【図３】図２の第１ケースにおける金属フレームにインナーケースを取り付けた状態を示した裏面側の斜視図である。
【図４】図３を更に裏面側から見た正面図である。
【図５】図２の金属フレームを示し、（ａ）はその正面図、（ｂ）はその金属フレームを手前側から見た側面図である。
【図６】図３のインナーケースを示した裏面側の斜視図である。
【図７】図６のインナーケースを示し、（ａ）はその正面図、（ｂ）はそのインナーケースを手前側から見た側面図である。
【図８】図４のＡ矢視におけるヒンジカバー部を示した拡大図である。
【図９】図３のＡ部における第１位置決め部を示した拡大斜視図である。
【図１０】図６のＢ部における第１位置決め部を示した拡大斜視図である。
【図１１】図４のＢ−Ｂ矢視における第１位置決め部を示した拡大断面図である。
【図１２】図４の第２位置決め部を示し、（ａ）は図４のＣ−Ｃ矢視における拡大断面図、（ｂ）は図４のＤ−Ｄ矢視における拡大断面図である。
【図１３】図４の第３位置決め部を示し、（ａ）は図４のＥ−Ｅ矢視における拡大断面図、（ｂ）は図４のＦ−Ｆ矢視における拡大断面図である。
【図１４】図２の状態でインナーケースを金属フレームに取り付ける前の状態を示した分解正面図である。
【図１５】図１４の状態でインナーケースの分離された一辺部を押し広げてインナーケースを金属フレームに取り付けるときの状態を示した分解正面図である。
【図１６】この発明を適用した電子辞書の実施形態２において金属フレームにインナーケースを取り付けた状態を示した裏面側の斜視図である。
【図１７】図１６のＣ部における第１位置決め部を示した拡大斜視図である。
【図１８】図１６のインナーケースを示した裏面側の斜視図である。
【図１９】図１８のＤ部における第１位置決め部を示した拡大斜視図である。
【発明を実施するための形態】
【００１３】
（実施形態１）
以下、図１〜図１５を参照して、この発明を電子辞書に適用した実施形態１について説明する。
この電子辞書は、図１および図２に示すように、互いに重なり合う第１ケース１と第２ケース２とを備え、これら第１ケース１と第２ケース２とが一対のヒンジ部３によって回動可能に連結され、この一対のヒンジ部３を中心に第１ケース１と第２ケース２とが相対的に回動して開閉する折り畳み式の構成になっている。
【００１４】
この場合、第１ケース１は、図１に示すように、全体がほぼ四角形状に形成されている。この第１ケース１は、図２に示すように、第１フロントケース４、枠状の金属フレーム５、枠状のインナーケース６、および第１リアケース７を備え、金属フレーム５に表示パネル８が設けられた構成になっている。この表示パネル８は、液晶表示パネルやＥＬ（エレクトロルミネッセンス）表示パネルなどの平面型の表示パネルからなり、辞書機能に必要な各種の情報を電気光学的に表示するように構成されている。
【００１５】
また、第２ケース２は、図１に示すように、第１ケース１とほぼ同じ形状で同じ大きさに形成されている。この第２ケース２は、図２に示すように、第２フロントケース１０および第２リアケース１１を備え、この第２リアケース１１内に回路基板１２が設けられた構成になっている。この場合、回路基板１２には、図１に示すように、キーボード１３と、タッチ入力部１４とが設けられている。
【００１６】
キーボード１３は、図１に示すように、文字キー、カーソルキー、辞書選択キーなどの辞書機能に必要な各種のキーを備え、回路基板１２上に配置され、この状態で、図１および図２に示すように、各キーが第２フロントケース１０のキー挿入孔１０ａに内部側から外側に向けて挿入されて外部に露出し、この露出した各キーを押圧操作することにより、情報を入力するように構成されている。
【００１７】
また、タッチ入力部１４は、表示パネルの上面に透明なタッチパネルを重ね合わせたものであり、透明なタッチパネルを通して下側の表示パネルに表示された情報が見えるように構成されている。すなわち、このタッチ入力部１４は、図１および図２に示すように、回路基板１２に設けられて上側のタッチパネルが第２フロントケース１０の開口部１０ｂから外部に露出し、この状態で表示パネルに表示された情報に対応する箇所のタッチパネルを触ることにより、所望の情報が入力されるように構成されている。
【００１８】
一対のヒンジ部３は、図２に示すように、第１ケース１の金属フレーム５における一辺部(図２では下辺部)の両側にそれぞれ取り付けられる第１アーム部１５ａを有する一対の第１円筒部１５と、金属フレーム５に前記一辺部に対応する第２ケース２の第２リアケース１１における一辺部（図２では上辺部）の両側にそれぞれ取り付けられる第２アーム部１６ａを有する一対の第２円筒部１６と、第１、第２の各円筒部１５、１６内に挿入されて第１、第２の各円筒部１５、１６同士を回転可能に連結する連結軸１７とを備えている。
【００１９】
すなわち、この一対のヒンジ部３は、図２に示すように、金属フレーム５の一辺部(図２では下辺部)の両側にそれぞれ第１アーム部１５ａがビス止めされた一対の第１円筒部１５と、第２リアケース１１の一辺部(図２では上辺部)の両側にそれぞれ第２アーム部１６ａがビス止めされた一対の第２円筒部１６とを、同一軸上に対応させて配置し、この状態で第１、第２の各円筒部１５、１６内に連結軸１７を挿入させ、この挿入された連結軸１７によって第１、第２の各円筒部１５、１６同士を回動可能に連結することにより、連結軸１７を中心に第１、第２の各円筒部１５、１６が相対的に回動するように構成されている。
【００２０】
ところで、第１ケース１の第１フロントケース４は、合成樹脂からなり、図１および図２に示すように、全体がほぼ額縁形状に形成され、金属フレーム５に表示パネル８を覆った状態で取り付けられると共に、その中央部の開口部４ａに表示パネル８の表示領域が対応し、この表示領域に表示された情報が第１フロントケース４の開口部４ａを通して外部から見えるように構成されている。
【００２１】
金属フレーム５は、ステンレスなどの金属かなり、図３〜図５に示すように、全体がほぼ四角形の枠形状に形成され、図２に示すように、その表面に表示パネル８が取り付けられ、その裏面にインナーケース６が取り付けられると共に、このインナーケース６を覆って第１リアケース７が取り付けられるように構成されている。この場合、第１リアケース７は、図２に示すように、ステンレスなどの金属板からなり、全体がほぼ四角形の平板状に形成されている。
【００２２】
インナーケース６は、合成樹脂からなり、図２に示すように、全体が金属フレーム５と同様にほぼ四角形の枠形状に形成され、金属フレーム５に係脱可能に取り付けられるように構成されている。この場合、インナーケース６は、図２〜図４、図６に示すように、その一辺部６ａ（図２では下辺部）の両側に一対のヒンジ部３をそれぞれ覆う一対のヒンジカバー部１８が形成されている。この一対のヒンジカバー部１８は、図３および図４に示すように、それぞれ外端部が閉塞された円筒形状に形成され、その内面に図８に示すように各ヒンジ部３の外周面をガイドする複数のガイドリブ１８ａが軸方向に沿って形成された構成になっている。
【００２３】
また、このインナーケース６は、図３および図４に示すように、一対のヒンジカバー部１８間に位置する一辺部６ａ（図３では下辺部）における中間部が切断部２０によって分離され、図１５に示すように、切断部２０を境に一対のヒンジカバー部１８が互いに広がる方向に弾性変形するように構成されている。これにより、一対のヒンジカバー部１８は、第１ケース１の金属フレーム５と第２ケース２の第２リアケース１１とが一対のヒンジ部３によって開閉可能に連結された状態で、インナーケース６の一辺部６ａを切断部２０で押し広げることにより、一対のヒンジ部３を挿脱可能に覆うように構成されている。
【００２４】
この場合、インナーケース６には、図４、図６、図７に示すように、分離された一辺部６ａを補強する２つの補強リブ２１、２２が一体に形成されている。この２つの補強リブ２１、２２のうち、一方の補強リブ２１は、図７に示すように、インナーケース６の一辺部６ａにおける切断部２０の左側に位置する端部から反対側の他辺部６ｂに向けてほぼ直角に延び、この延びた部分がインナーケース６の左側に位置する辺部６ｃに向けてほぼ直角に延びてインナーケース６の左側の辺部６ｃに連結されている。
【００２５】
また、他方の補強リブ２２は、図４に示すように、インナーケース６の一辺部６ａにおける切断部２０の右側に位置する端部から反対側の他辺部６ｂに向けてほぼ直角に延び、この延びた部分がインナーケース６の右側に位置する辺部６ｄに向けてほぼ直角に延び、この延びた部分が補助リブ２３に連結されている。この補助リブ２３は、枠状に形成されてインナーケース６の右側に位置する辺部６ｄに連結されている。
【００２６】
これにより、インナーケース６は、補強リブ２１、２２、および補助リブ２３によって切断部２０で分離された一辺部６ａが自由に撓み変形するのを規制することにより、分離された一辺部６ａが任意の方向に勝手に撓んで振ら付かないように構成されている。なお、この補強リブ２１、２２、および補助リブ２３には、図３に示すように、クッション材２４が設けられている。
【００２７】
一方、金属フレーム５とインナーケース６とには、図３および図４に示すように、その両者を係脱可能に取り付けるための第１〜第４の各位置決め部２５〜２８が設けられている。第１位置決め部２５は、図３および図４に示すように、インナーケース６の一辺部６ａ（図４では下辺部）における切断部２０付近を金属フレーム５に対し係脱可能に位置決めして固定するように構成されている。
【００２８】
すなわち、この第１位置決め部２５は、図９〜図１１に示すように、金属フレーム５に設けられた一対の係合部３０と、インナーケース６に設けられて一対の係合部３０を係脱可能に係止する一対の係止部３１とを備えている。金属フレーム５の一対の係合部３０は、インナーケース６の一辺部６ａにおける切断部２０の両側近傍に対応する金属フレーム５の一辺部（図４では下辺部）の各箇所にインナーケース６に向けて垂直に折り曲げられた横長の平板部であり、その中央部に横長の係合孔３０ａが設けられている。
【００２９】
インナーケース６の一対の係止部３１は、インナーケース６の一辺部６ａにおける切断部２０の両側近傍に金属フレーム５に向けて垂直に形成された押え部３１ａと、この押え部３１ａの内側にこれと平行に形成されたフック部３１ｂとを備えている。これにより、第１位置決め部２５は、図１１に示すように、インナーケース６の係止部３１における押え部３１ａとフック部３１ｂとの間に金属フレーム５の係合部３０が挿入して挟まれ、この状態でフック部３１ｂの先端部が係合部３０の係合孔３０ａに挿入して係止されることにより、インナーケース６の一辺部６ａにおける切断部２０の両側付近を金属フレーム５に対し係脱可能に位置決めして固定するように構成されている。
【００３０】
第２位置決め部２６は、図４および図５に示すように、一対のヒンジカバー部１８の近傍に位置する箇所のインナーケース６を金属フレーム５に対し係脱可能に位置決めして一対のヒンジカバー部１８の近傍に位置するインナーケース６が外側に向けて広がるのを押えるように構成されている。すなわち、この第２位置決め部２６は、図４および図１２に示すように、一対のヒンジカバー部１８の近傍に位置する金属フレーム５の両側辺部にそれぞれ設けられた各押え突起３２と、一対のヒンジカバー部１８の近傍に位置するインナーケース６の両側辺部６ｃ、６ｄにそれぞれ設けられて各押え突起３２に当接する各当接部３３とを備えている。
【００３１】
金属フレーム５の各押え突起３２は、図１２（ａ）および図１２（ｂ）に示すように、一対のヒンジカバー部１８の近傍に位置する金属フレーム５の両側辺部の一部をインナーケース６に向けて垂直に折り曲げた部分である。インナーケース６の各当接部３３は、一対のヒンジカバー部１８の近傍に位置するインナーケース６の両側辺部６ｃ、６ｄにそれぞれ金属フレーム５に向けて垂直に突出させた部分である。
【００３２】
これにより、第２位置決め部２６は、図１２（ａ）および図１２（ｂ）に示すように、インナーケース６に設けられた当接部３３の外側面に、金属フレーム５に設けられた押え突起３２の内側面が当接することにより、インナーケース６を金属フレーム５に対し係脱可能に位置決めして、一対のヒンジカバー部１８の近傍に位置するインナーケース６が衝撃などによって外側に広がるのを金属フレーム５で押えるように構成されている。
【００３３】
第３位置決め部２７は、図４および図５に示すように、一対のヒンジカバー部１８と反対側に位置する他辺部６ｂ側のインナーケース６を金属フレーム５に対し係脱可能に位置決めして固定するように構成されている。すなわち、この第３位置決め部２７は、図１３（ａ）および図１３（ｂ）に示すように、一対のヒンジ部３と反対側に位置する金属フレーム５の両側部にそれぞれ設けられた各係止部３４と、一対のヒンジカバー部１８と反対側に位置するインナーケース６の両側辺部６ｃ、６ｄにそれぞれ設けられて金属フレーム５の各係止部３４に係止される各係合部３５とを備えている。
【００３４】
この場合、金属フレーム５の各係止部３４は、図１３（ａ）および図１３（ｂ）に示すように、一対のヒンジ部３と反対側に位置する金属フレーム５の両側辺部の一部をインナーケース６に向けて垂直に折り曲げた部分であり、この部分に係止孔３４ａが設けられた構成になっている。インナーケース６の各係合部３５は、一対のヒンジカバー部１８と反対側に位置するインナーケース６の両側辺部６ｃ、６ｄにそれぞれ金属フレーム５に向けて垂直に突出した部分であり、この突出した内側面に金属フレーム５の係止部３４の係止孔３４ａに係合する係合突起３５ａが設けられた構成になっている。
【００３５】
これにより、第３位置決め部２７は、図１３（ａ）および図１３（ｂ）に示すように、金属フレーム５の各係止部３４の外面がインナーケース６の各係合部３５の内面に当接した状態で、各係合部３５の係合突起３５ａが各係止部３４の係止孔３４ａに挿入して係止されることにより、インナーケース６を金属フレーム５に対し係脱可能に位置決めしてインナーケース６が金属フレーム５から外れないように構成されている。
【００３６】
第４位置決め部２８は、図４に示すように、一対のヒンジカバー部１８と反対側に位置するインナーケース６の他辺部６ｂにおける両端部を金属フレーム５に対して係脱可能に位置決めするように構成されている。すなわち、この第４位置決め部２８は、図５（ａ）および図７（ａ）に示すように、一対のヒンジ部３と反対側に位置する金属フレーム５の他辺部における両端部にそれぞれ設けられた各係止孔３６と、一対のヒンジカバー部１８と反対側に位置するインナーケース６の他辺部６ｂにおける両端部にそれぞれ設けられて金属フレーム５の各係止孔３６に挿入する各係合突起３７とを備えている。
【００３７】
これにより、第４位置決め部２８は、図４に示すように、金属フレーム５の各係止孔３６にインナーケース６の各係合突起３７がそれぞれ挿入して係止されることにより、一対のヒンジカバー部１８と反対側に位置するインナーケース６の他辺部６ｂにおける両端部を金属フレーム５に対し係脱可能に位置決めして、インナーケース６の他辺部６ｂが金属フレーム５に対する面方向に位置ずれするのを防ぐように構成されている。
【００３８】
次に、この電子辞書を組立てる場合について説明する。
この場合には、まず、図２に示すように、第１ケース１の金属フレーム５に第２ケース２の第２リアケース１１を一対のヒンジ部３によって連結する。すなわち、金属フレーム５の一辺部(図２では下辺部)における両側に一対の第１円筒部１５の各第１アーム部１５ａをそれぞれビス止めする。また、第２リアケース１１の一辺部(図２では上辺部)における両側に一対の第２円筒部１６の各第２アーム部１６ａをそれぞれビス止めする。
【００３９】
この状態で、金属フレーム５に取り付けられた一対の第１円筒部１５と、第２リアケース１１に取り付けられた一対の第２円筒部１６とを、同一軸上に対応させて配置し、この状態で第１、第２の各円筒部１５、１６内に連結軸１７を挿入し、この挿入した連結軸１７によって第１、第２の各円筒部１５、１６を回動可能に連結する。これにより、第１ケース１の金属フレーム５と第２ケース２の第２リアケース１１とが一対のヒンジ部３によって折り畳み可能に連結される。
【００４０】
この後、第１ケース１の金属フレーム５に表示パネル８を取り付けると共に、第２ケース２の第２リアケース１１に回路基板１２およびキーボード１３を取り付ける。この状態で、表示パネル８と回路基板１２とをフレキシブル配線基板などの接続部材３８によって電気的に接続する。これにより、図１４および図１５に示すように、1次組立てが完了し、製品としての性能検査を行うことが可能な状態になる。
【００４１】
この後、第１ケース１の金属フレーム５の裏面に、後述するようにインナーケース６を取り付けると共に、このインナーケース６を覆って第１リアケース７を取り付ける。また、この金属フレーム５の表面に第１フロントケース４を取り付けて、表示パネル８の表示領域を第１フロントケース４の開口部４ａから外部に露出させる。一方、第２ケース２の第２リアケース１１の表面に回路基板１２およびキーボード１３を覆って第２フロントケース１０を取り付ける。このときには、キーボード１３の各キーを第２フロントケース１０の各キー挿入孔１０ａに挿入させて外部に露出させる。これにより、２次組立てが完了し、製品として出荷可能な状態になる。
【００４２】
ところで、第１ケース１の金属フレーム５にインナーケース６を取り付ける場合には、図１５に示すように、まず、インナーケース６の一辺部６ａを切断部２０で押し広げるように、インナーケース６の全体を弾性変形させる。このときには、インナーケース６の一辺部６ａには、補強リブ２１、２２が形成されているので、切断部２０を押し広げると、インナーケース６の一辺部６ａが補強リブ２１、２２で規制されて勝手に弾性変形せず、一対のヒンジカバー部１８と反対側の他辺部６ｂが撓むように変形し、これにより切断部２０が押し広げられる。
【００４３】
このように、インナーケース６の一辺部６ａが押し広げられると、一対のヒンジカバー部１８が一対のヒンジ部３の外側に位置するので、一対のヒンジ部３が一対のヒンジカバー部１８内に相対的に挿入するように、一対のヒンジ部３に一対のヒンジカバー部１８を被せることができる。このときには、インナーケース６が元の形状に戻りながら、図８に示すように、一対のヒンジカバー部１８の内周面に設けられたガイドリブ１８ａによって一対のヒンジ部３がガイドされて一対のヒンジカバー部１８内の中心に挿入されるので、一対のヒンジ部３が一対のヒンジカバー部１８内の所定に配置される。
【００４４】
この状態で、金属フレーム５にインナーケース６を第１〜第４の各位置決め部２５〜２８によって位置決めして固定する。すなわち、この第１位置決め部２５は、図４、図９および図１１に示すように、金属フレーム５の一辺部(図４では下辺部)に設けられた一対の係合部３０をインナーケース６の一辺部６ａに設けられた一対の係止部３１における押え部３１ａとフック部３１ｂとの間に挿入させて挟み付け、この状態でフック部３１ｂの先端部を係合部３０の係合孔３０ａに挿入させることにより、ビスなどの締結部品を用いずに、インナーケース６の一辺部６ａにおける切断部２０の両側近傍が金属フレーム５に対し係脱可能に位置決めされて固定される。
【００４５】
第２位置決め部２６は、図１２（ａ）および図１２（ｂ）に示すように、一対のヒンジカバー部１８の近傍に位置する金属フレーム５の両側辺部にそれぞれ設けられた各押え突起３２の内側面が、一対のヒンジカバー部１８の近傍に位置するインナーケース６の両側の辺部６ｃ、６ｄにそれぞれ設けられた各当接部３３の外側面に当接することにより、インナーケース６が金属フレーム５に対して係脱可能に位置決めされ、インナーケース６の両側の辺部６ｃ、６ｄが外側に広がるのを押えて固定される。
【００４６】
第３位置決め部２７は、図１３（ａ）および図１３（ｂ）に示すように、金属フレーム５の各係止部３４の外面がインナーケース６の各係合部３５の内面に当接した状態で、各係合部３５の係合突起３５ａが各係止部３４の係止孔３４ａに挿入して係止されることにより、インナーケース６が金属フレーム５に対して係脱可能に位置決めされ、インナーケース６が金属フレーム５から外れないように固定される。
【００４７】
第４位置決め部２８は、図４に示すように、金属フレーム５の各係止孔３６にインナーケース６の各係合突起３７がそれぞれ挿入して係止されることにより、一対のヒンジカバー部１８と反対側に位置するインナーケース６の他辺部６ｂにおける両端部が金属フレーム５に対して係脱可能に位置決めされ、インナーケース６の他辺部６ｂが金属フレーム５に対する面方向に位置ずれを起こさないように固定される。
【００４８】
また、このように組立てられた電子辞書における第１ケース１のインナーケース６を取り外す場合には、まず、第１ケース１の第１フロントケース４と第１リアケース７とを金属フレーム５から取り外す。これにより、金属フレーム５の裏面側にインナーケース６が露出する。この状態で、前述した場合とは逆に、まず、第１〜第４の各位置決め部２５〜２８による金属フレーム５に対するインナーケース６の位置決めを解除する。
【００４９】
これにより、インナーケース６の全体が弾性変形可能な状態になるので、インナーケース６の一辺部６ａを切断部２０で押し広げて、一対のヒンジカバー部１８を一対のヒンジ部３の外側に向けて変位させることにより、インナーケース６を取り外すことができる。このときには、第１ケース１と第２ケース２とのすべてを分解せずに、第１ケース１の金属フレーム５と第２ケース２の第２リアケース１１とを一対のヒンジ部３によって折り畳み可能に連結した状態で、インナーケース６を取り外すことができる。
【００５０】
このように、この電子辞書によれば、一対のヒンジ部３をそれぞれ覆う一対のヒンジカバー部１８を有する枠状のインナーケース６を取り外す際に、第１ケース１の金属フレーム５を第２ケース２の第２リアケース１１に一対のヒンジ部３によって回動可能に連結した状態で、第１〜第４の各位置決め部２４〜２８によって金属フレーム５に対し位置決めされたインナーケース６の係止を解除して、一対のヒンジカバー部１８の間に位置するインナーケース６の一辺部６ａを切断部２０で押し広げることにより、ヒンジカバー部１８を一対のヒンジ部３から取り外すことができる。このため、第１、第２の各ケース１、２の全てを取り外して交換しなくても、容易にヒンジカバー部１８をインナーケース６と共に取り外して交換することができる。
【００５１】
この場合、一対のヒンジカバー部１８が位置するインナーケース６の一辺部６ａには、切断部２０で分離された部分を補強する２つの補強リブ２１、２２が一体に形成されていることにより、この２つの補強リブ２１、２２によって切断部２０で分離された一辺部６ａが自由に撓み変形するのを規制することができる。このため、インナーケース６の分離された一辺部６ａが任意の方向に勝手に撓んで振ら付くのを防ぐことができる。これにより、金属フレーム５に対しインナーケース６を第１〜第４の各位置決め部２５〜２８によって位置決めして固定する際に、その組付け作業が容易にできるので、組立て作業の向上を図ることができる。
【００５２】
また、この電子辞書では、インナーケース６を金属フレーム５に対して取り付ける際に、ビスなどの締結部品を用いずに、第１〜第４の各位置決め部２５〜２８によって簡単に且つ確実に取り付けることができる。すなわち、第１位置決め部２５は、インナーケース６の一辺部６ａにおける切断部２０の両側近傍に設けられた一対の係止部３１の押え部３１ａとフック部３１ｂとの間に、これに対応する金属フレーム５の一辺部に設けられた一対の係合部３０を挿入させて挟み付け、この状態でフック部３１ｂの先端部を係合部３０の係合孔３０ａに挿入することにより、ビスなどの締結部品を用いずに、インナーケース６の一辺部６ａにおける切断部２０の両側近傍を金属フレーム５に対して正確に位置決めして確実に固定することができる。
【００５３】
第２位置決め部２６は、一対のヒンジカバー部１８の近傍に位置する金属フレーム５の両側辺部にそれぞれ設けられた各押え突起３２の内側面が、一対のヒンジカバー部１８の近傍に位置するインナーケース６の両側辺部６ｃ、６ｄにそれぞれ設けられた各当接部３３の外側面に当接することにより、ビスなどの締結部品を用いずに、インナーケース６を金属フレーム５に対して正確に位置決めし、インナーケース６の両側の辺部６ｃ、６ｄが外側に向けて広がるのを押えて確実に固定することができる。このため、例えば電子辞書を誤って落とした際に、その衝撃をヒンジカバー部１８が受けても、インナーケース６の両側の辺部６ｃ、６ｄが外側に向けて変形するのを防ぐことができる。
【００５４】
第３位置決め部２７は、金属フレーム５の各係止部３４がインナーケース６の各係合部３５の内面に当接した状態で、各係合部３５の係合突起３５ａが各係止部３４の係止孔３４ａに係挿入して係止されることにより、ビスなどの締結部品を用いずに、インナーケース６を金属フレーム５に対して正確に位置決めし、インナーケース６が金属フレーム５から外れないように確実に固定することができる。
【００５５】
第４位置決め部２８は、金属フレーム５の各係止孔３６にインナーケース６の各係合突起３７がそれぞれ挿入して係止されることにより、ビスなどの締結部品を用いずに、一対のヒンジカバー部１８と反対側に位置するインナーケース６の他辺部６ｂにおける両端部を金属フレーム５に対して正確に位置決めし、インナーケース６の他辺部６ｂが金属フレーム５に対する面方向に位置ずれを起こさないように確実に固定することができる。
【００５６】
さらに、この電子辞書では、インナーケース６を交換する際に、第１ケース１の金属フレーム５と第２ケース２の第２リアケース１１とが一対のヒンジ部３によって回動可能に連結されているので、第１ケース１の金属フレーム５に表示パネル８を組み付け、第２ケース２の第２リアケース１１に回路基板１２およびキーボード１３を組み付け、この状態で表示パネル８と回路基板１２とを電気的に接続することにより、インナーケース６を金属フレーム５に取り付ける前であって、取り付けた後であっても、製品としての性能を検査することができる。
【００５７】
（実施形態２）
次に、図１６〜図１９を参照して、この発明を電子辞書に適用した実施形態２について説明する。なお、図１〜図１５に示された実施形態１と同一部分には同一符号を付して説明する。
この電子辞書は、インナーケース６の一辺部６ａに形成された２つの補強リブ２１、２２を連結リブ４０によって連結した構成であり、これ以外は実施携帯１と同じ構成になっている。
【００５８】
すなわち、このインナーケース６の一辺部６ａは、実施形態１と同様、切断部２０によって分離されている。この分離された一辺部６ａには、２つの補強リブ２１、２２が一体に形成されている。この場合にも、一方の補強リブ２１は、実施形態１と同様、インナーケース６の一辺部６ａにおける切断部２０の左側に位置する端部から反対側の他辺部６ｂに向けてほぼ直角に延び、この延びた部分がインナーケース６の左側に位置する辺部６ｃに向けてほぼ直角に延びてインナーケース６の左側に位置する辺部６ｃに連結されている。
【００５９】
また、他方の補強リブ２２は、インナーケース６の一辺部６ａにおける切断部２０の右側に位置する端部から反対側の他辺部６ｂに向けてほぼ直角に延び、この延びた部分がインナーケース６の右側に位置する辺部６ｄに向けてほぼ直角に延び、この延びた部分が補助リブ２３に連結されている。この補助リブ２３は、枠状に形成されてインナーケース６の右側に位置する辺部６ｄに連結されている。
【００６０】
一方、連結リブ４０は、図１６〜図１９に示すように、切断部２０の左側に位置する一辺部６ａの端部から反対側の他辺部６ｂに向けてほぼ直角に延びた部分の一方の補強リブ２１と、切断部２０の右側に位置する一辺部６ａの端部から反対側の他辺部６ｂに向けてほぼ直角に延びた部分の他方の補強リブ２２との間に位置し、この状態で一端部が一方の補強リブ２１に一体に形成され、他端部が他方の補強リブ２２に一体に形成され、これにより２つの補強リブ２１、２２を連結した構成になっている。
【００６１】
これにより、連結リブ４０は、インナーケース６の一辺部６ａの切断部２０が必要以上に押し広げられないように規制している。このため、インナーケース６は、切断部２０で分離された一辺部６ａが押し広げられてインナーケース６の他辺部６ｂが撓み変形する際に、連結リブ４０によってインナーケース６の他辺部６ｂが変形し過ぎて破損するのを確実に防ぐように構成されている。
【００６２】
このような電子辞書によれば、実施形態１と同様の作用効果があるほか、インナーケース６の一辺部６ａに形成された２つの補強リブ２１、２２が連結リブ４０によって連結されているので、切断部２０で分離された一辺部６ａを押し広げてインナーケース６を交換する際に、切断部２０で分離された一辺部６ａを押し広げても、連結リブ４０によってインナーケース６の他辺部６ｂが必要以上に撓み変形し過ぎるのを確実に防ぐことができ、これによりインナーケース６の他辺部６ｂが撓み変形し過ぎて破損するのを確実に防ぐことができる。
【００６３】
なお、上記実施形態１、２では、電子機器として電子辞書に適用した場合について述べたが、必ずしも電子辞書である必要はなく、例えば電子小型計算機（電卓）や携帯電話機、携帯型情報処理装置（ＰＤＡ：パーソナル・デジタル・アシスタント）などの各種の折り畳み式の電子機器に広く適用することができる。
【符号の説明】
【００６４】
１  第１ケース
２  第２ケース
３  ヒンジ部
４  第１フロントケース
５  金属フレーム
６  インナーケース
６ａ  一辺部
６ｂ  他辺部
６ｃ、６ｄ  両側の辺部
７  第１リアケース
８  表示パネル
１０  第２フロントケース
１１  第２リアケース
１２  回路基板
１３  キーボード
１８  ヒンジカバー部
１８ａ  ガイドリブ
２０  切断部
２１、２２  補強リブ
２５  第１位置決め部
２６  第２位置決め部
２７  第３位置決め部
２８  第４位置決め部
４０  連結リブ
【図１】
2010165824.tif 000003
【図２】
2010165824.tif 000004
【図３】
2010165824.tif 000005
【図４】
2010165824.tif 000006
【図５】
2010165824.tif 000007
【図６】
2010165824.tif 000008
【図７】
2010165824.tif 000009
【図８】
2010165824.tif 000010
【図９】
2010165824.tif 000011
【図１０】
2010165824.tif 000012
【図１１】
2010165824.tif 000013
【図１２】
2010165824.tif 000014
【図１３】
2010165824.tif 000015
【図１４】
2010165824.tif 000016
【図１５】
2010165824.tif 000017
【図１６】
2010165824.tif 000018
【図１７】
2010165824.tif 000019
【図１８】
2010165824.tif 000020
【図１９】
2010165824.tif 000021